(57)【要約】表示装置（１）は、表示部（２０）と、検出部（３０）と、記憶部（４０）と、制御部（１０）とを備える。検出部（３０）は、表示部（２０）へのユーザーの接触する接触領域（２１０）を検出する。記憶部（４０）は、パターン（４００）を記憶する。制御部（１０）は、判定部（１０１）と、表示制御部（１０３）とを含む。判定部（１０１）は、接触領域（２１０）がパターン（４００）に一致するか否かを判定する。表示制御部（１０３）は、判定部（１０１）が一致すると判定することに応じて、ソフトキー（２２０）を表示部（２０）に表示させる。
2016104086.tif 000002
【特許請求の範囲】
【請求項１】
表示部と、
前記表示部へのユーザーの接触する接触領域を検出する検出部と、
パターンを記憶する記憶部と、
制御部と、
を備え、
前記制御部は、
前記接触領域が前記パターンに一致するか否かを判定する判定部と、
前記判定部が一致すると判定することに応じて、ソフトキーを前記表示部に表示させる表示制御部と
を含む、表示装置。
【請求項２】
前記制御部は、
前記パターンに基づいて、前記接触領域の一方端部に位置する第１地点を算出する算出部と、
前記第１地点に基づいて、前記表示部での前記ソフトキーの表示位置を決定する位置決定部と
をさらに含む、請求項１に記載の表示装置。
【請求項３】
前記算出部は、前記パターンに基づいて、前記接触領域の他方端部に位置する第２地点をさらに算出し、
前記制御部は、前記第１地点及び前記第２地点に基づいて、前記表示部の長手方向に直交する方向に沿った前記ソフトキーの第１寸法を決定する寸法決定部をさらに含む、請求項２に記載の表示装置。
【請求項４】
前記算出部は、
前記パターンに基づいて、前記接触領域のうち前記第１地点と前記第２地点との間に位置する第３地点と、
前記第１地点と前記第３地点とを結ぶ第１線分と、
前記第３地点と前記第２地点とを結ぶ第２線分と、
前記第１線分に対する前記第２線分の傾きを示す角度と
をさらに算出し、
前記寸法決定部は、前記角度に基づいて、前記表示部の前記長手方向に沿った前記ソフトキーの第２寸法を決定する、請求項３に記載の表示装置。
【請求項５】
前記表示部は、検出領域を含み、
前記判定部は、前記検出部が前記検出領域で前記接触領域を検出すると、前記接触領域が前記パターンに一致するか否かを判定する、請求項１に記載の表示装置。
【請求項６】
前記パターンは、前記判定部によって前記接触領域と比較されるための形状を有する、請求項１に記載の表示装置。
【請求項７】
前記表示部は、前記検出領域と異なる端部領域をさらに含み、
前記端部領域は、前記表示部の周縁であり、
前記判定部は、前記検出部が前記端部領域で前記接触領域を検出すると、前記接触領域が前記パターンに一致するか否かを判定しない、請求項５に記載の表示装置。
【請求項８】
請求項１に記載の表示装置と、
シートに画像を形成する画像形成部と
を備える、画像形成装置。
【請求項９】
表示部を備える表示装置が実行する表示方法であって、
前記表示部へのユーザーの接触する接触領域を検出する手順と、
パターンを記憶する手順と、
前記接触領域が前記パターンに一致するか否かを判定する手順と、
前記接触領域が前記パターンに一致すると判定されることに応じて、ソフトキーを前記表示部に表示させる手順と
を含む、表示方法。
【発明の詳細な説明】
【技術分野】
【０００１】
本発明は、表示装置、画像形成装置、及び表示方法に関する。
【背景技術】
【０００２】
近年、画像形成装置に対して、小型化が要求されている。そこで、タッチパネルを備える画像形成装置では、ハードウェアキーを削除し、タッチパネル（画面）にソフトキーを表示させることで小型化を実現している。しかしながら、タッチパネルにソフトキーを表示させる場合、ソフトキーは、タッチパネルの表示領域を占有する。【０００３】
特許文献１に記載のキーボード表示装置では、画面上に表示される映像信号と、ソフトウェアキーボードとを合成して画面を表示する。ユーザーがキーボード上で入力を行う際は、キーボードは、不透明な状態、又は透明度の低い状態で表示される。所定の時間が経過しても、キーボード上で入力がされない時には、キーボードは透明度の高い状態で表示される。ユーザーは、透明度の高いキーボードを介して画面に表示される内容を確認する。
【先行技術文献】
【特許文献】
【０００４】
【特許文献１】特開２００８−１０２８１０号公報
【発明の概要】
【発明が解決しようとする課題】
【０００５】
しかしながら、特許文献１に記載のキーボード表示装置では、ユーザーがキーボード上で入力を行う際の画面のうち、キーボードに重なって表示される領域は、ユーザーにとって視認性が低い。【０００６】
本発明は、上記課題に鑑みてなされたものであり、タッチパネルに表示される内容の視認性の低下を抑制しつつ、簡略な操作でタッチパネルにソフトキーを表示できる表示装置、画像形成装置、及び表示方法を提供することを目的としている。
【課題を解決するための手段】
【０００７】
本発明の第１の観点によれば、表示装置は、表示部と、検出部と、記憶部と、制御部とを備える。検出部は、前記表示部へのユーザーの接触する接触領域を検出する。記憶部は、パターンを記憶する。制御部は、判定部と、表示制御部とを含む。判定部は、前記接触領域が前記パターンに一致するか否かを判定する。表示制御部は、前記判定部が一致すると判定することに応じて、ソフトキーを前記表示部に表示させる。【０００８】
本発明の第２の観点によれば、画像形成装置は、本発明の第１の観点に係る表示装置と画像形成部とを備える。画像形成部は、シートに画像を形成する。【０００９】
本発明の第３の観点によれば、表示方法は表示部を備える表示装置が実行する。表示方法は、前記表示部へのユーザーの接触する接触領域を検出する手順と、パターンを記憶する手順と、前記接触領域が前記パターンに一致するか否かを判定する手順と、前記接触領域が前記パターンに一致すると判定されることに応じて、ソフトキーを前記表示部に表示させる手順とを含む。
【発明の効果】
【００１０】
本発明によれば、タッチパネルに表示される内容の視認性の低下を抑制しつつ、簡略な操作でタッチパネルにソフトキーを表示できる。
【図面の簡単な説明】
【００１１】
【図１】本発明の実施形態１に係る表示装置を示すブロック図である。
【図２Ａ】本発明の実施形態１に係る表示装置の表示部がユーザーに接触される状態を示す図である。
【図２Ｂ】本発明の実施形態１に係る表示装置の表示部にソフトキーが表示される状態を示す図である。
【図３Ａ】本発明の実施形態１に係る表示装置の記憶部に記憶されるパターンの一例を示す図である。
【図３Ｂ】本発明の実施形態１に係る表示装置のタッチパネルが検出する接触領域を示す図である。
【図４】本発明の実施形態１に係る表示装置の表示部に、接触領域に基づいて表示されるソフトキーを示す。
【図５】本発明の実施形態１に係る表示装置が実行する表示方法を示すフローチャートである。
【図６】本発明の実施形態２に係る画像形成装置を示す図である。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決部に必須であるとは限らない。複数の図を通じて同一の符号は、同一の構成要素を示している。
【００１３】
（実施形態１）
図１及び図２を参照して、本発明の実施形態１に係る表示装置１を説明する。図１は、表示装置１を示すブロック図である。表示装置１は、制御部１０と、表示部２０と、検出部としてのタッチパネル３０と、記憶部４０とを備える。
【００１４】
図２Ａは、表示部２０がユーザーに接触される状態を示す。図２Ｂは、表示部２０にソフトキー２２０が表示される状態を示す。Ｘ軸は表示部２０の短辺と平行であり、Ｙ軸は表示部２０の長辺と平行である。つまり、Ｙ軸は、表示部２０の長手方向に平行であり、Ｘ軸は、表示部２０の長手方向に直交する方向に平行である。
【００１５】
表示部２０は、例えば、液晶ディスプレーである。表示部２０には、例えば、ユーザーが表示装置１を搭載する装置を操作するための操作画面が表示される。また、例えば、表示部２０には、ＩＤ入力フォーム２４１及びパスワード入力フォーム２４２が表示される。ＩＤ入力フォーム２４１には、ユーザーがＩＤを入力する。パスワード入力フォーム２４２には、ユーザーがパスワードを入力する。タッチパネル３０は、表示部２０へのユーザーの接触する手Ｈの接触操作及び接触領域２１０を検出する。
【００１６】
記憶部４０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）、及び補助記憶装置（例えば、ハードディスクドライブ）を含む。ＲＯＭには、制御部１０によって実行される種々のコンピュータープログラム及びパターンが記憶される。パターンは、制御部１０によってタッチパネル３０が検出する接触領域２１０と比較されるための形状を有する画像である。パターンの詳細については後述する。
【００１７】
制御部１０は、判定部１０１と、表示制御部１０３とを含む。制御部１０は、例えば、ＣＰＵ（Ｃｅｎｔｒａｌ  Ｐｒｏｃｅｓｓｉｎｇ  Ｕｎｉｔ）である。
【００１８】
判定部１０１は、接触領域２１０が記憶部４０に記憶されるパターンに一致するか否かを判定する。具体的には、例えば、記憶部４０には、複数のパターンが記憶される。判定部１０１は、複数のパターンのそれぞれと接触領域２１０とをパターンマッチングする。本実施形態において、パターンマッチングとは、記憶部４０に記憶される複数のパターンのうち、接触領域２１０に一致すると見なせるパターンが存在するか否かを探索する手法である。
【００１９】
表示制御部１０３は、判定部１０１が、パターンと接触領域２１０とが一致すると判定することに応じて、ソフトキー２２０を表示部２０に表示させる。具体的には、判定部１０１が、複数のパターンのうち、接触領域２１０に一致すると見なせるパターンが存在すると判定することに応じて、表示制御部１０３は、表示部２０にソフトキー２２０を表示させる。
【００２０】
ソフトキー２２０は、本実施形態において、ソフトウェアテンキーであるが、ソフトキー２２０は、ソフトウェアキーボード等であってもよい。ユーザーが、ＩＤ入力フォーム２４１又は、パスワード入力フォーム２４２に値を入力する場合、ユーザーは、接触操作として、入力する値に対応するソフトキー２２０を接触する。タッチパネル３０は、ユーザーのソフトキー２２０への接触操作を検出する。制御部１０は、タッチパネル３０が検出するユーザーの接触操作に基づいて、ＩＤ入力フォーム２４１又は、パスワード入力フォーム２４２に値を入力する。
【００２１】
なお、表示部２０は、検出領域２３０を含んでもよい。検出領域２３０は、タッチパネル３０が検出するユーザーの接触操作が誤った操作であるか否かを判定するための領域である。表示部２０が検出領域２３０を含む場合、タッチパネル３０が検出領域２３０で接触領域２１０を検出すると、すなわち、検出領域２３０でユーザーの接触操作を検出すると、判定部１０１は、接触領域２１０がパターンに一致するか否かを判定する。タッチパネル３０が検出領域２３０外で接触領域２１０を検出すると、判定部１０１は、接触領域２１０がパターンに一致するか否かを判定しない。すなわち、判定部１０１は、タッチパネル３０が接触領域２１０を検出しなかったと判定する。
【００２２】
検出領域２３０は、ユーザーによって任意に設定される。また、表示部２０は、端部領域２３１を含んでもよい。端部領域２３１は、例えば、表示部２０の周縁である。タッチパネル３０が表示部２０の端部領域２３１で接触操作を検出する場合、ユーザーの誤った接触操作である場合が多い。従って、検出領域２３０は、表示部２０の端部領域２３１を除いて設定されることが好ましい。すなわち、端部領域２３１は、検出領域２３０と異なることが好ましい。この場合、上述した検出領域２３０外は、端部領域２３１のことである。
【００２３】
判定部１０１は、接触領域２１０の一部を検出領域２３０で検出することに応じて、接触領域２１０がパターンに一致するか否かを判定してもよい。また、判定部１０１は、接触領域２１０の全部の領域を検出領域２３０で検出することに応じて、接触領域２１０がパターンに一致するか否かを判定してもよい。
【００２４】
次に、図１、図３及び図４を参照して、ソフトキー２２０について説明する。図３Ａは、記憶部４０に記憶されるパターン４００の一例を示す。図３Ｂは、接触領域２１０を示す。制御部１０は、算出部１０５と、位置決定部１０７と、寸法決定部１０９とをさらに含む。ソフトキー２２０の表示部２０での表示位置及び寸法は、算出部１０５、位置決定部１０７、及び寸法決定部１０９によって決定される。
【００２５】
複数のパターン４００は、それぞれ、第１基準４０１、第２基準４０２、及び第３基準４０３を有する。第１基準４０１は、パターン４００の一方端部に位置する。第２基準４０２は、パターン４００の他方端部に位置する。第３基準４０３は、パターン４００のうち、第１基準４０１と第２基準４０２との間に位置する。
【００２６】
まず、算出部１０５は、パターン４００に基づいて接触領域２１０の第１地点２１１、第２地点２１２、及び第３地点２１３を算出する。具体的には、以下の通りである。算出部１０５は、第１基準４０１に基づいて、接触領域２１０の第１地点２１１を算出する。従って、第１地点２１１は、接触領域２１０の一方端部に位置する。算出部１０５は、第２基準４０２に基づいて、接触領域２１０の第２地点２１２を算出する。従って、第２地点２１２は、接触領域２１０の他方端部に位置する。算出部１０５は、第３基準４０３に基づいて、接触領域２１０の第３地点２１３を算出する。従って、第３地点２１３は、接触領域２１０のうち、第１地点２１１と第２地点２１２との間に位置する。
【００２７】
算出部１０５は、第１線分Ｓ１と、第２線分Ｓ２と、角度Ｒとをさらに算出する。第１線分Ｓ１は、第１地点２１１と第３地点２１３とを結ぶ線分である。第２線分Ｓ２は、第２地点２１２と第３地点２１３とを結ぶ線分である。角度Ｒは、第１線分Ｓ１に対する第２線分Ｓ２の傾きを示す。第１線分Ｓ１、第２線分Ｓ２、及び角度Ｒの算出方法の具体例については、後述する。
【００２８】
図４は、接触領域２１０に基づいて表示されるソフトキー２２０を示す。位置決定部１０７は、第１地点２１１に基づいて、表示部２０でのソフトキー２２０の表示位置を決定する。本実施形態では、ソフトキー２２０は矩形であり、４つの角を有する。位置決定部１０７は、例えば、ソフトキー２２０が有する４つの角のうち、所定の角が第１地点２１１に位置するように、ソフトキー２２０の表示位置を決定する。本実施形態では、位置決定部１０７は、ソフトキー２２０の図４での右上の角２２０ａが第１地点２１１に位置するように、ソフトキー２２０の表示位置を決定する。
【００２９】
なお、位置決定部１０７は、ソフトキー２２０の有する４つの角のうち、任意の角が第１地点２１１に位置するようにソフトキー２２０の表示位置を決定することができる。例えば、位置決定部１０７は、ソフトキー２２０の図４での左上の角が第１地点２１１に位置するように、ソフトキー２２０の表示位置を決定する。また、位置決定部１０７は、ソフトキー２２０の任意の位置が第１地点２１１に位置するようにソフトキー２２０の表示位置を決定することもできる。さらに、位置決定部１０７は、ソフトキー２２０の任意の位置が、第２地点２１２又は第３地点２１３に位置するようにソフトキー２２０の表示位置を決定することもできる。
【００３０】
寸法決定部１０９は、第１地点２１１及び第２地点２１２に基づいて、ソフトキー２２０の第１寸法Ｌ１を決定する。ソフトキー２２０の第１寸法Ｌ１は、ソフトキー２２０のＸ軸に沿った寸法である。具体的には、寸法決定部１０９は、第１地点２１１から第２地点２１２までのＸ軸に沿った長さを、ソフトキー２２０の第１寸法Ｌ１の長さに決定する。
【００３１】
また、寸法決定部１０９は、角度Ｒに基づいて、ソフトキー２２０の第２寸法Ｌ２を決定する。ソフトキー２２０の第２寸法Ｌ２は、ソフトキー２２０のＹ軸に沿った寸法である。例えば、ユーザーが、ユーザーの右手の親指でソフトキー２２０を接触操作する場合、角度Ｒが小さい程、ユーザーの右手の親指は、Ｙ軸の正方向への可動範囲が大きい。従って、寸法決定部１０９は、角度Ｒが小さいほど、第２寸法Ｌ２の寸法を大きくし、角度Ｒが大きいほど、第２寸法Ｌ２の寸法を小さくする。その結果、ユーザーにとってのソフトキー２２０の操作性が向上する。なお、角度Ｒに基づいて決定される第２寸法Ｌ２の長さには、最大値及び最小値が設定されてもよい。
【００３２】
表示制御部１０３は、位置決定部１０７及び寸法決定部１０９に決定された表示位置、第１寸法Ｌ１、及び第２寸法Ｌ２に基づいて、表示部２０にソフトキー２２０を表示させる。ソフトキー２２０は、表示部２０に表示される。ソフトキー２２０の縦幅（Ｘ軸に沿った長さ）は、第１寸法Ｌ１である。ソフトキー２２０の横幅（Ｙ軸に沿った長さ）は、第２寸法Ｌ２である。
【００３３】
以下、表示部２０に表示されるソフトキー２２０の具体例を説明する。タッチパネル３０の検出する接触点は位置座標（Ｘ，Ｙ）によって表される。本具体例では、接触領域２１０の第１地点２１１の位置座標は（３５００，１０００）である。接触領域２１０の第２地点２１２の位置座標は（１５００，５００）である。接触領域２１０の第３地点２１３の位置座標は（３１００，５００）である。第１線分Ｓ１は、三平方の定理を利用して、第１地点２１１及び第３地点２１３から算出される。第２線分Ｓ２は、三平方の定理を利用して第２地点２１２及び第３地点２１３から算出される。第１線分Ｓ１に対する第２線分Ｓ２の角度Ｒは、三平方の定理を利用して算出され、本具体例では略１２８度である。
【００３４】
まず、位置決定部１０７は、ソフトキー２２０の表示位置を決定する。ソフトキー２２０の角２２０ａの位置座標を、第１地点２１１の位置座標（３５００，１０００）に決定する。
【００３５】
次に、寸法決定部１０９は、ソフトキー２２０の第１寸法Ｌ１を決定する。第１地点２１１から第３地点２１３までのＹ軸に沿った長さは、２０００（＝３５００−１５００）ピクセルである。従って、寸法決定部１０９は、第１寸法Ｌ１の長さを２０００ピクセルに決定する。次に、寸法決定部１０９は、ソフトキー２２０の第２寸法Ｌ２を決定する。第１線分Ｓ１に対する第２線分Ｓ２の角度Ｒは、略１２８度であった。例えば、ソフトキー２２０の第２寸法Ｌ２の基準値を１５００ピクセルとし、角度Ｒの基準値を９０度とする場合、本具体例における角度Ｒは大きい。従って、第２寸法Ｌ２の長さを基準値より小さくする。例えば、角度Ｒに対する角度Ｒの基準値の値は、（９０／１２８）であるため、第２寸法Ｌ２の大きさは、（１５００）×（９０／１２８）＝１０５５（ピクセル）である。
【００３６】
本実施形態によれば、接触領域２１０とパターン４００とが一致すると判定されることに応じて、表示部２０にソフトキー２２０が表示される。従って、ユーザーは、接触領域２１０がパターン４００に一致するように表示部２０を接触することで、表示部２０にソフトキー２２０を表示できる。その結果、ユーザーは、簡略な操作で表示部２０にソフトキー２２０を表示できる。
【００３７】
また、本実施形態によれば、ユーザーが表示部２０を接触する位置に基づいて、表示部２０にソフトキー２２０が表示される。従って、ユーザーは、簡略な操作で、表示部２０の任意の位置にソフトキー２２０を表示できる。その結果、表示部２０に表示される内容の視認性の低下を抑制しつつ、ユーザーは、表示部２０にソフトキー２２０を表示できる。
【００３８】
さらに、本実施形態によれば、ユーザーの手Ｈの大きさに対応するソフトキー２２０が表示部２０に表示される。その結果、ユーザーにとってのソフトキー２２０の操作性が向上する。
【００３９】
さらに、本実施形態によれば、ユーザーは、ユーザーの親指でソフトキー２２０を接触操作する場合、スマートフォンを操作するような感覚でソフトキー２２０を操作できる。従って、ユーザーが日常生活でスマートフォンを操作している場合は、ユーザーにとってのソフトキー２２０の操作性がさらに向上する。
【００４０】
さらに、本実施形態によれば、パターン４００がユーザーの手Ｈの小指側の側面に対応する形状である場合、ユーザーは、ユーザーの掌でソフトキー２２０を隠しつつ、親指でソフトキー２２０を接触操作できる。従って、ユーザーがソフトキー２２０を接触操作して機密性の高い情報を入力する場合、情報の機密性を維持する。
【００４１】
図１〜図５を参照して、表示装置１が実行する表示方法について説明する。図５は、表示方法を示すフローチャートである。表示方法に従って、ソフトキー２２０が表示部２０に表示される。表示方法は、ステップＳ１０１〜ステップＳ１１３を実行することによって、タッチパネル３０が検出する手Ｈの接触領域２１０に基づくソフトキー２２０が表示される。具体的には次の通りである。
【００４２】
ステップＳ１０１において、タッチパネル３０は、表示部２０を接触するユーザーの手Ｈの接触領域２１０を検出する。ステップＳ１０３において、判定部１０１は、タッチパネル３０が接触領域２１０を検出領域２３０で検出したか否かを判定する。ステップＳ１０３において否定的判定（ＮＯ）がされた場合、処理はステップＳ１０１に進む。つまり、判定部１０１は、タッチパネル３０が検出領域２３０ではない領域で接触操作を検出すると、検出された接触操作は誤操作であると判定する。ステップＳ１０３において肯定的判定（ＹＥＳ）がされた場合、処理はステップＳ１０５に進む。
【００４３】
ステップＳ１０５において、判定部１０１は、接触領域２１０がパターン４００に一致するか否かを判定する。ステップＳ１０５において否定的判定（ＮＯ）がされる場合、つまり判定部１０１が、接触領域２１０は、記憶部４０に記憶される複数のパターン４００のうちのいずれにも一致しないと判定する場合、処理はステップＳ１０１に戻る。ステップＳ１０５において肯定的判定（ＹＥＳ）がされる場合、つまり、判定部１０１が、接触領域２１０は、記憶部４０に記憶されるパターン４００に一致すると判定する場合、処理はステップＳ１０７に進む。
【００４４】
ステップＳ１０７において、算出部１０５は、パターン４００に基づいて、接触領域２１０の第１基準２１１、第２基準２１２、及び第３基準２１３を算出する。
【００４５】
ステップＳ１０９において、位置決定部１０７は、第１地点２１１に基づいて、ソフトキー２２０の表示部２０での表示位置を決定する。ステップＳ１１１において、寸法決定部１０９は、第１地点２１１、第２地点２１２、及び第３地点２１３に基づいて、ソフトキー２２０の第１寸法Ｌ１及び第２寸法Ｌ２を決定する。
【００４６】
ステップＳ１１３において、表示制御部１０３は、ステップＳ１０９及びステップＳ１１１において決定された、ソフトキー２２０の表示部２０での表示位置、第１寸法Ｌ１、及び第２寸法Ｌ２に基づいてソフトキー２２０を表示部２０に表示させる。
【００４７】
（実施形態２）
図６を参照して本発明の実施形態２に係る画像形成装置２について説明する。図６は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００４８】
画像形成装置２は、制御部１０と、表示部２０と、タッチパネル３０と、記憶部４０と、原稿搬送部１００と、画像読取部１１０と、収納部１２０と、搬送部１３０と、画像形成部１４０と、定着部１５０と、排出部１６０とを備える。シートＴは、シート搬送方向に沿って画像形成装置２の内部を搬送される。制御部１０は、実施形態１に係る制御部１０として機能し、表示部２０は、実施形態１に係る表示部２０として機能し、タッチパネル３０は、実施形態１に係るタッチパネル３０として機能する。従って、制御部１０、表示部２０、及びタッチパネル３０は、実施形態１に係る表示装置１を構成する。
【００４９】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００５０】
制御部１０は、画像形成装置２の各要素を制御する。具体的には、制御部１０が、記憶部４０に格納されたコンピュータープログラムを実行することにより、表示部２０、タッチパネル３０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。タッチパネル３０は、例えば、表示部２０の表示面上に配置される。
【００５１】
搬送部１３０は、画像形成部１４０にシートＴを搬送する。画像形成部１４０は、図１に示すように、感光体ドラム１４１、帯電部１４２、露光部１４３、現像部１４４、転写部１４５、クリーニング部１４６、及び除電部１４７を含む。画像形成部１４０は、次のようしてシートＴに画像を形成（印刷）する。
【００５２】
帯電部１４２は感光体ドラム１４１の表面を帯電する。露光部１４３は、画像読取部１１０によって生成された画像データ又は記憶部１７０に記憶された画像データに基づく光を感光体ドラム１４１の表面に照射する。その結果、感光体ドラム１４１の表面には画像データに対応した静電潜像が形成される。
【００５３】
現像部１４４は、感光体ドラム１４１の表面に形成された静電潜像を現像し、感光体ドラム１４１の表面にトナー像を形成する。シートＴが感光体ドラム１４１と転写部１４５との間に供給されると、転写部１４５はシートＴにトナー像を転写する。クリーニング部１４６は、感光体ドラム１４１の表面に残留しているトナーを除去する。除電部１４７は、感光体ドラム１４１の表面の残留電荷を除去する。
【００５４】
トナー像が転写されたシートＴは定着部１５０に向けて搬送される。定着部１５０は、シートＴを加熱及び加圧して、シートＴにトナー像を定着させる。画像が定着されたシートＴは排出部１６０に向けて搬送される。排出部１６０はシートＴを排出する。
【００５５】
以上、図１及び図６を参照して説明したように、実施形態２によれば、図１〜図５を参照して説明した実施形態１と同様の表示装置１を備える。従って、実施形態２では、実施形態１と同様の効果を奏する。
【００５６】
以上、図１〜図６を参照して、実施形態１及び実施形態２が説明された。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５７】
（１）図１、及び図３〜図５を参照して説明したように、算出部１０５、位置決定部１０７、及び寸法決定部１０９によって、ソフトキー２２０の表示位置、第１寸法Ｌ１、及び第２寸法Ｌ２が決定された。ただし、算出部１０５、位置決定部１０７、及び寸法決定部１０９によって、ソフトキー２２０の表示位置、第１寸法Ｌ１、及び第２寸法Ｌ２のうち、少なくとも１つが決定されてもよい。また、ソフトキー２２０の表示位置、第１寸法Ｌ１、及び第２寸法Ｌ２は、予め定められた値でもよい。
【００５８】
（２）図２Ｂ及び図４を参照して説明したように、ソフトキー２２０は、ソフトウェアテンキーであった。ただし、ソフトキー２２０に含まれる複数のキーの配列は、限定されず、ユーザーの任意の配列にすることができる。また、ユーザーが気密性の高い情報を入力するためにソフトキー２２０を表示部２０に表示させる場合には、ソフトキー２２０を表示部２０に表示させる度に、複数のキーの配列を変更してもよい。
【００５９】
（３）図２Ａを参照して説明したように、ユーザーは、ユーザーの右手で表示部２０を接触した。ただし、ユーザーは、ユーザーの左手で表示部２０を接触してもよい。この場合、記憶部４０には、右手で表示部２０を接触する接触領域２１０に一致するか否かを判定するためのパターン、及び左手で表示部２０を接触する接触領域２１０に一致するか否かを判定するためのパターンを記憶する。
【００６０】
（４）図３Ａを参照して説明したように、パターン４００の一例は、略Ｌ字型であった。ただし、パターン４００の形状は、任意の形状でよい。
【００６１】
（５）図３Ａ及び図３Ｂを参照して説明したように、パターン４００は、３つの基準（第１基準４０１、第２基準４０２、及び第３基準４０３）を有する。ただし、パターン４００は、１つの基準を有してもよいし、３つ以外の複数の基準を有してもよい。
【産業上の利用可能性】
【００６２】
本発明は、表示装置、及び表示装置を搭載する画像形成装置の分野に利用可能である。
【図１】
2016104086.tif 000003
【図２Ａ】
2016104086.tif 000004
【図２Ｂ】
2016104086.tif 000005
【図３Ａ】
2016104086.tif 000006
【図３Ｂ】
2016104086.tif 000007
【図４】
2016104086.tif 000008
【図５】
2016104086.tif 000009
【図６】
2016104086.tif 000010
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
表示部と、
前記表示部へのユーザーの接触する接触領域を検出する検出部と、
パターンを記憶する記憶部と、
制御部と、
を備え、
前記制御部は、
前記接触領域が前記パターンに一致するか否かを判定する判定部と、
前記判定部が一致すると判定することに応じて、ソフトキーを前記表示部に表示させる表示制御部と、
前記パターンに基づいて前記接触領域の一方端部に位置する第１地点を算出する算出部と、
前記第１地点に基づいて、前記表示部での前記ソフトキーの表示位置を決定する位置決定部と
を含み、
前記算出部は、前記パターンに基づいて前記接触領域の他方端部に位置する第２地点をさらに算出し、
前記制御部は、前記第１地点及び前記第２地点に基づいて、前記表示部の長手方向に直交する方向に沿った前記ソフトキーの第１寸法を決定する寸法決定部をさらに含み、
前記算出部は、
前記パターンに基づいて、前記接触領域のうち前記第１地点と前記第２地点との間に位置する第３地点と、
前記第１地点と前記第３地点とを結ぶ第１線分と、
前記第３地点と前記第２地点とを結ぶ第２線分と、
前記第１線分に対する前記第２線分の傾きを示す角度と
をさらに算出し、
前記寸法決定部は、前記角度に基づいて、前記表示部の前記長手方向に沿った前記ソフトキーの第２寸法を決定する、表示装置。
【請求項２】
前記表示部は、検出領域を含み、
前記判定部は、前記検出部が前記検出領域で前記接触領域を検出すると、前記接触領域が前記パターンに一致するか否かを判定する、請求項１に記載の表示装置。
【請求項３】
前記パターンは、前記判定部によって前記接触領域と比較されるための形状を有する、請求項１又は請求項２に記載の表示装置。
【請求項４】
前記表示部は、前記検出領域と異なる端部領域をさらに含み、
前記端部領域は、前記表示部の周縁であり、
前記判定部は、前記検出部が前記端部領域で前記接触領域を検出すると、前記接触領域が前記パターンに一致するか否かを判定しない、請求項２に記載の表示装置。
【請求項５】
請求項１から請求項４のいずれか１項に記載の表示装置と、
シートに画像を形成する画像形成部と
を備える、画像形成装置。
【請求項６】
表示部を備える表示装置が実行する表示方法であって、
前記表示部へのユーザーの接触する接触領域を検出する手順と、
パターンを記憶する手順と、
前記接触領域が前記パターンに一致するか否かを判定する手順と、
前記接触領域が前記パターンに一致すると判定されることに応じて、ソフトキーを前記表示部に表示させる手順と、
前記パターンに基づいて前記接触領域の一方端部に位置する第１地点を算出する手順と、
前記第１地点に基づいて、前記表示部での前記ソフトキーの表示位置を決定する手順と、
前記パターンに基づいて前記接触領域の他方端部に位置する第２地点を算出する手順と、
前記第１地点及び前記第２地点に基づいて、前記表示部の長手方向に直交する方向に沿った前記ソフトキーの第１寸法を決定する手順と、
前記パターンに基づいて、
前記接触領域のうち前記第１地点と前記第２地点との間に位置する第３地点と、
前記第１地点と前記第３地点とを結ぶ第１線分と、
前記第３地点と前記第２地点とを結ぶ第２線分と、
前記第１線分に対する前記第２線分の傾きを示す角度と
を算出する手順と、
前記角度に基づいて、前記表示部の前記長手方向に沿った前記ソフトキーの第２寸法を決定する手順と
を含む、表示方法。
【国際調査報告】
2016104086.tif 000011
2016104086.tif 000012
2016104086.tif 000013
2016104086.tif 000014